(57)【特許請求の範囲】
【請求項１】
フィルタ枠と、前記フィルタ枠内を複数の領域に区切る補強桟と、前記複数の領域に張られる複数のフィルタ網とを有し、
前記フィルタ網は、異なる機能を有するエアフィルタであって、
前記複数のフィルタ網は、各々のフィルタ網の隣接する部分が重なり合うように配置され、
前記補強桟は、前記複数のフィルタ網の重なり合う部分に樹脂で一体成型されていることを特徴とするエアフィルタ。
【請求項２】
異なる機能を有する複数のフィルタ網の隣接する部分を互いに重なり合うように溶着する第１工程と、
第１工程で溶着された前記複数のフィルタ網の外周縁部分にフィルタ枠を樹脂で成型し、かつ、前記複数のフィルタ網の重なり合う部分に補強桟を前記フィルタ枠と連続するように樹脂で成型する第２工程とで構成されることを特徴とするエアフィルタの製造方法。
【請求項３】
請求項１に記載のエアフィルタが、室内の空気を吸込む空気吸込口と吸込んだ空気を冷媒と熱交換する熱交換器との間に配置されていることを特徴とする空気調和機。
【発明の詳細な説明】
【技術分野】
【０００１】
本発明は、エアフィルタ及びその製造方法並びにこのエアフィルタを備えた空気調和機に関する。
【背景技術】
【０００２】
従来の空気調和機の室内機には、室内の空気から塵埃を捕捉するため、空気吸込口と熱交換器の間にエアフィルタが装着されている。このエアフィルタは、塵埃を捕捉するフィルタ網と、フィルタ網が張られるフィルタ枠と、フィルタ網を補強する補強桟とを備え、例えば、フィルタ網にフィルタ枠や補強桟を樹脂で一体成型（インサート成型）したものが用いられている（例えば、特許文献１参照）。
【先行技術文献】
【特許文献】
【０００３】
【特許文献１】特開２００１−２０８４１６号公報
【発明の概要】
【発明が解決しようとする課題】
【０００４】
このような空気調和機の室内機に空気清浄や脱臭などの機能を持たせるには、エアフィルタとは別に空気清浄フィルタや脱臭フィルタなどを取付ける必要があるという問題があった。
本発明は上記問題点に鑑み、１つのエアフィルタに複数の機能を持たせることができるエアフィルタ及びその製造方法並びにこのエアフィルタを備えた空気調和機を提供することを目的とする。
【課題を解決するための手段】
【０００５】
上記課題を解決するために、本発明のエアフィルタは、フィルタ枠と、前記フィルタ枠内を複数の領域に区切る補強桟と、前記複数の領域に張られる複数のフィルタ網とを有し、前記フィルタ網は、異なる機能を有することを特徴とする。
また、前記複数のフィルタ網は、各々のフィルタ網の隣接する部分が重なり合うように配置され、前記補強桟は、前記複数のフィルタ網の重なり合う部分に樹脂で一体成型されていることを特徴とする。
また、本発明のエアフィルタの製造方法は、異なる機能を有する複数のフィルタ網の隣接する部分を互いに重なり合うように溶着する第１工程と、第１工程で溶着された前記複数のフィルタ網の外周縁部分にフィルタ枠を樹脂で成型し、かつ、前記複数のフィルタ網の重なり合う部分に補強桟を前記フィルタ枠と連続するように樹脂で成型する第２工程とで構成されることを特徴とする。
さらに、本発明の空気調和機は、前記エアフィルタが、室内の空気を吸込む空気吸込口と吸込んだ空気を冷媒と熱交換する熱交換器との間に配置されていることを特徴とする。
【発明の効果】
【０００６】
本発明のエアフィルタによれば、１つのエアフィルタに複数の機能を持たせることができる。
本発明のエアフィルタの製造方法によれば、複数のフィルタ網の重なり合う部分が剥がれるのを防止し、この重なり合う部分が目隠しされ外観をきれいにすることができる。
本発明の空気調和機によれば、複数の異なる機能を有する１つのエアフィルタを配置することにより、室内機の小型化を実現することができる。
【図面の簡単な説明】
【０００７】
【図１】本発明のエアフィルタを示す斜視図である。
【図２】図１のエアフィルタの製造方法を示す図であり、（ａ）は第１工程を説明する説明図、（ｂ）は第２工程を説明する説明図である。
【図３】図１のエアフィルタを備えた空気調和機の室内機を示す断面図である。
【図４】本発明のエアフィルタの他の実施例を示す斜視図である。
【図５】本発明のエアフィルタの他の実施例を示す斜視図である。
【発明を実施するための形態】
【０００８】
以下、本発明の実施形態を添付図面に基づき詳細に説明する。図１乃至図３は、本実施形態におけるエアフィルタ及びその製造方法並びにこのエアフィルタを備えた空気調和機を説明する図である。
【０００９】
エアフィルタ１は、図１及び図２に示すように、矩形状のフィルタ枠１１と、フィルタ枠１１内を複数の格子状の領域６１〜７０に区切る補強桟１２と、複数の格子状の領域６１〜７０に張られた異なる機能を有する２種のフィルタ網１３２、１３３とを備えている。各々の格子状の領域６１〜７０には２種のフィルタ網１３２、１３３のいずれか一方が張られている。エアフィルタ１は、後述する空気調和機の室内機Ａに装着されている。フィルタ枠１１は、２種のフィルタ網１３２、１３３で形成されるフィルタ１３の外周縁部分１３１に樹脂で一体成型されている。
【００１０】
フィルタ１３は、例えば、フィルタ枠１１と補強桟１２とで１０区画に区画された１つの領域６１内にあるフィルタ網１３２と、他の領域６２〜７０内にあるフィルタ網１３３とを有している。フィルタ網１３２は、例えば、室内の空気から塵埃を捕捉するとともに室内の空気を脱臭する脱臭機能を有するものであり、臭気成分を吸着する吸着剤が塗布されている。フィルタ網１３３は、例えば、室内の空気から塵埃を捕捉する塵埃捕捉機能を有するものである。フィルタ網１３２とフィルタ網１３３の隣接する部分１３２ａ、１３３ａは互いに重なり合うように配置されている。
【００１１】
補強桟１２は、フィルタ網１３２とフィルタ網１３３を補強するため、フィルタ網１３２とフィルタ網１３３の重なり合う部分Ｋとフィルタ網１３３とに、フィルタ枠１１と連続するようにフィルタ枠１１と同一の樹脂で一体成型されている。
【００１２】
このように構成されたエアフィルタ１の製造方法は、図２に示すような、後述する第１工程と第２工程からなる。第１工程では、図２（ａ）に示すように、脱臭機能を有するフィルタ網１３２と塵埃捕捉機能を有するフィルタ網１３３の隣接する部分１３２ａ、１３３ａを互いに重なり合うように溶着する。第１工程を実施すると、１枚に一体化された矩形状かつ平面形状のフィルタ１３が完成する。
【００１３】
第２工程では、図２（ｂ）に示すように、第１工程で１枚に溶着され一体化されたフィルタ１３を上下一対の金型５１、５２内に配置し、フィルタ１３の表裏の両面にフィルタ枠１１と補強桟１２を樹脂で一体成型する。ここで、１枚になったフィルタ網１３２とフィルタ網１３３の重なり合う部分Ｋに、格子状の補強桟１２が形成される。
【００１４】
第１工程において、フィルタ網１３２とフィルタ網１３３を溶着し１枚のフィルタ１３にすることで、第２工程において、金型５１、５２内にフィルタ１３を配置し、フィルタ枠１１や補強桟１２を一体成型する際、フィルタ網１３２とフィルタ網１３３との位置ずれを防ぐことができる。以上のように第１工程と第２工程を実施することにより、図２（ｂ）に示すように、矩形状のフィルタ枠１１と、フィルタ枠１１内を格子状に区切る補強桟１２と、脱臭機能と塵埃捕捉機能を有する２種のフィルタ網１３２、１３３とを備えたエアフィルタ１が完成する。
【００１５】
上述のエアフィルタ１を備えた空気調和機は、図３に示すように、壁掛型の室内機Ａを例に挙げて説明する。室内機Ａは、箱状の本体２を備え、本体２の上部には空気吸込口２１が形成され、本体２の下部には空気吹出口２２が形成されている。本体２の内部には、空気吸込口２１と空気吹出口２２とを結ぶ空気通路２３に上流から下流に向かってエアフィルタ１と熱交換器３と送風ファン４がそれぞれ配置されている。
【００１６】
室内機Ａは、送風ファン４の回転により空気吸込口２１から吸込んだ室内の空気を熱交換器３で冷媒と熱交換し、熱交換された空気を空気吹出口２２から室内に吹出す構造になっている。このとき、空気吸込口２１と熱交換器３との間に装着されているエアフィルタ１は、フィルタ網１３２では空気吸込口２１から吸込んだ空気に含まれる塵埃を捕捉するとともに吸込んだ空気を脱臭し、フィルタ網１３３では空気吸込口２１から吸込んだ空気に含まれる塵埃を捕捉する。
【００１７】
なお、本実施形態によるエアフィルタ１では、脱臭機能と塵埃捕捉機能を有する２種のフィルタ網１３２、１３３を備えているが、本発明はこの２種のフィルタ網の組合せに限らず、例えば、上述の脱臭機能と空気清浄機能を有する２種のフィルタ網を備えてもよい。空気清浄機能を有するフィルタ網は、空気を清浄にするために細かな塵埃を捕捉する細かい網目に形成したものである。
【００１８】
また、複数のフィルタ網の異なる機能は上述した機能の他に、例えば、送風ファン４による吸込み空気の風速分布に合わせて塵埃の捕捉量を変える機能や通風抵抗を調節する機能を有してもよい。この場合、例えば、塵埃の捕捉量を変える機能を実現したエアフィルタ８は、図４に示すように、速い風速になる送風ファン４の前側４１と後側４２に配置されるフィルタ網８１、８２を細かい網目に形成し、遅い風速になる送風ファン４の中間部４３に配置されるフィルタ網８３を粗い網目に形成したものである。エアフィルタ８は、図３に示すように、空気調和機の室内機Ａの空気吸込口２１と熱交換器３との間に空気吸込口２１に沿って配置される。このとき、送風ファン４の前側４１、中間部４３、後側４２のそれぞれより空気通路２３に沿って空気吸込口２１に至る延長線上に、フィルタ網８１、フィルタ網８３、フィルタ網８２が位置するように装着される。この結果、フィルタ網８３のように粗い網目でも十分に塵埃を捕捉することができるが、フィルタ網８１、８２のように風速の速い部分について網目を密にすることで、風量を確保しながら、より多くの塵埃を捕捉することができる。
【００１９】
また、エアフィルタ１ではフィルタ網を２種のフィルタ網１３２、１３３としたが、例えば、上述した空気清浄機能と脱臭機能と塵埃捕捉機能を有する３種のフィルタ網としてもよい。この場合、例えば、エアフィルタ９は、図５に示すように、フィルタ枠１１と補強桟１２とで１０区画に区画された各々の領域６１〜７０のうち、２つの連続した領域６１、６８内にあるフィルタ網９１と、４つの連続した領域６２、６３、６６、６７内にあるフィルタ網９２と、４つの連続した領域６４、６５、６９、７０内にあるフィルタ網９３とを有している。フィルタ網９１は脱臭機能を有するものであり、フィルタ網９２は空気清浄機能を有するものであり、フィルタ網９３は塵埃捕捉機能を有するものである。
【００２０】
さらに、エアフィルタ１を製造する際、金型５１、５２内にフィルタ１３を配置する前にフィルタ網１３２とフィルタ網１３３の隣接する部分１３２ａ、１３３ａを重なり合うように溶着するようにしたが、本発明はこれに限らず、上下一対の金型５１、５２内にフィルタ網１３２とフィルタ網１３３の隣接する部分１３２ａ、１３３ａを重なり合うように位置決めする位置決め部を、フィルタ網１３２とフィルタ網１３３に設けておけば、フィルタ網１３２とフィルタ網１３３との溶着を省略することができる。
【００２１】
以上説明してきた実施形態によるエアフィルタ１及びエアフィルタ１の製造方法によれば、フィルタ枠１１と、フィルタ枠１１内を複数の領域６１〜７０に区切る補強桟１２と、複数の領域６１〜７０に張られる複数のフィルタ網１３２、１３３とを有し、複数のフィルタ網１３２、１３３は、異なる機能を有する。このため、複数の異なる機能を１枚のエアフィルタ１で実現することができる。この結果、空気調和機の室内機Ａに、エアフィルタ１とは別に空気清浄フィルタや脱臭フィルタなどを取付ける必要がなく、複数の異なる機能を持たせたエアフィルタ１を安価に実現することができる。
【００２２】
また、複数のフィルタ網１３２、１３３は、各々のフィルタ網１３２、１３３の隣接する部分１３２ａ、１３３ａが重なり合うように配置され、補強桟１２は、複数のフィルタ網１３２、１３３の重なり合う部分Ｋに樹脂で一体成型されている。このため、複数のフィルタ網１３２、１３３の重なり合う部分Ｋが剥がれるのを防止することができる。また、この重なり合う部分Ｋが目隠しされた状態になるので、エアフィルタ１の外観をきれいに見せることができる。
【００２３】
さらに、空気調和機の室内機Ａによれば、上述のエアフィルタ１が、室内の空気を吸込む空気吸込口２１と吸込んだ空気を冷媒と熱交換する熱交換器３との間に配置されているため、室内機Ａに異なる機能を有する複数のエアフィルタを別々に取付けるよりも、室内機Ａの小型化を実現することができる。
【符号の説明】
【００２４】
１  エアフィルタ
１１  フィルタ枠
１２  補強桟
１３  フィルタ
１３１  外周縁部分
１３２、１３３  フィルタ網
１３２ａ、１３３ａ  隣接する部分
２  本体
２１  空気吸込口
２２  空気吹出口
２３  空気通路
３  熱交換器
４  送風ファン
４１  前側
４２  後側
４３  中間部
５１、５２  金型
６１〜７０  領域
８  エアフィルタ
８１〜８３  フィルタ網
９  エアフィルタ
９１〜９３  フィルタ網
Ａ  室内機
Ｋ  重なり合う部分
【図１】
0006277967.tif 000002
【図２】
0006277967.tif 000003
【図３】
0006277967.tif 000004
【図４】
0006277967.tif 000005
【図５】
0006277967.tif 000006